【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
第１の拡張サービスセット（ＥＳＳ）内の第１のアクセスルータ（ＡＲ）と関連付けられている第１のアクセスポイント（ＡＰ）から第２のＥＳＳ内の第２のＡＲと関連付けられている第２のＡＰへ無線端末をハンドオフする方法において、
前記端末が、前記第１のＡＰとの接続の喪失に応答して、他の接続をスキャンし、前記第２のＡＰを見つけて、前記第２のＡＰからの情報を読み出し、前記第２のＡＰが前記第１のＡＰと異なることを判定することと、
前記端末が前記第２のＡＰへ再連結メッセージを送信することと、
前記第２のＡＰが前記端末から最連結メッセージを受信して、再連結成功メッセージを前記端末に送ることと、
前記端末が、前記再連結成功メッセージの受け取り後に、ハンドオフ手続きを開始することを含み、該ハンドオフ手続きは、
前記端末が第１のＡＲに関する情報を第２のＡＰへ提供し、次いで前記第２のＡＰがその情報を前記第２のＡＲへ提供することと、
前記第２のＡＲが、前記第２のＡＰから前記第１のＡＲに関する前記情報を受信したことに応答して、前記第１のＡＲと連絡を取ることと、
前記第１のＡＲが、前記第２のＡＲによる連絡に応答して、前記第２のＡＲへ前記端末のためのトラフックを変更することと、
前記第２のＡＲが前記端末と前記第２のＡＰ間のセッションを回復することと
を含むことを特徴とする方法。
【請求項２】
前記再連結メッセージを送信するステップは、前記第１のＡＰ、前記第２のＡＰおよび前記第１のＥＳＳの識別をさらに含むことを特徴とする請求項１に記載の方法。
【請求項３】
前記再連結メッセージを送信するステップの後で、
前記第２のＥＳＳ内の分配システムが前記第１のＡＰを認識しない場合には、
前記再連結成功メッセージは前記ＡＰが認識されていないことを前記端末に知らせ、
前記端末は該再連結成功メッセージの受信に応じて前記ハンドオフ手続きを開始する
ことをさらに含むことを特徴とする請求項２に記載の方法。
【請求項４】
第１の拡張サービスセット（ＥＳＳ）内の第１のアクセスルータ（ＡＲ）と関連付けられている第１のアクセスポイント（ＡＰ）から第２のＥＳＳ内の第２のＡＲと関連付けられている第２のＡＰへ無線端末をハンドオフする方法において、
前記端末が、前記第１のＡＰとの接続の喪失に応答して、他の接続をスキャンし、前記第２のＡＰを見つけて、前記第２のＡＰからの情報を読み出し、前記第２のＡＰが前記第１のＡＰと異なることを判定し、かつ前記第２のＡＰへ再連結メッセージを送信することと、
前記第２のＡＰが前記端末から最連結メッセージを受信して、前記端末を認証し、かつ許可することと、
前記第２のＡＰが再連結成功メッセージを前記端末に送ることと、
前記第２のＡＰがハンドオフ手続きを開始することを含み、該ハンドオフ手続きは、
前記第２のＡＰが前記第１のＥＳＳ内のデータベースへ照会して前記第１のＡＲのアドレスを読み出し、該第１のＡＲの該アドレスを前記第２のＡＲへ提供することと、
前記第２のＡＲが、前記第２のＡＰから前記第１のＡＲのアドレスを受信したことに応答して、前記第１のＡＲと連絡を取ることと、
前記第１のＡＲが、前記第２のＡＲによる連絡に応答して、前記第２のＡＲへ前記端末のためのトラフックを変更することと、
前記第２のＡＲが前記端末と前記第２のＡＰ間のセッションを回復することと
を含むことを特徴とする方法。
【請求項５】
第１の拡張サービスセット（ＥＳＳ）内の第１のアクセスルータ（ＡＲ）と関連付けられている第１のアクセスポイント（ＡＰ）から第２のＥＳＳ内の第２のＡＲと関連付けられている第２のＡＰへ無線端末をハンドオフする方法において、
前記端末が、前記第１のＡＰとの接続の喪失に応答して、他の接続をスキャンし、前記第２のＡＰを見つけて、前記第２のＡＰからの情報を読み出し、前記第２のＡＰが前記第１のＡＰと異なることを判定し、かつ前記第２のＡＰへ再連結メッセージを送信することと、
前記第２のＡＰが前記端末から最連結メッセージを受信して、前記端末を認証し、かつ許可することと、
前記第２のＡＰがハンドオフ手続きを開始することを含み、該ハンドオフ手続きは、
前記第２のＡＰが前記端末へ照会して前記第１のＡＲのアドレスを読み出し、該第１のＡＲの該アドレスを前記第２のＡＲへ提供することと、
前記第２のＡＲが、前記第２のＡＰから前記第１のＡＲのアドレスを受信したことに応答して、前記第１のＡＲと連絡を取ることと、
前記第１のＡＲが、前記第２のＡＲによる連絡に応答して、前記第２のＡＲへ前記端末のためのトラフックを変更することと、
前記第２のＡＲが前記端末と前記第２のＡＰ間のセッションを回復することと
前記第２のＡＰが再連結成功メッセージを前記端末へ送ることと
を含むことを特徴とする方法。
【請求項６】
前記再連結メッセージを送信するステップは、前記第１のＡＰ、前記第２のＡＰおよび前記第１のＥＳＳの識別をさらに含むことを特徴とする請求項４または５に記載の方法。
【請求項７】
前記再連結メッセージを送信するステップの後で、
前記第２のＥＳＳ内の分配システム（ＤＳ）が前記第１のＡＰを認識しない場合には、
前記第２のＡＰは前記第２のＥＳＳ内のＤＳが前記第１のＡＰを認識しないことに応答して前記ハンドオフ手続きを開始する
ことをさらに含むことを特徴とする請求項６に記載の方法。
【請求項８】
前記第２のＡＲへ前記端末のためのトラフックを変更するステップは、前記第１のＡＲが前記第１のＥＳＳ内のリソースを解放することをさらに含み、該リソースは前記端末に使用されていた、および／あるいは前記端末の使用のために予約されていたリソースであることを特徴とする請求項１、４および５のいずれかに記載の方法。
【請求項９】
第１の拡張サービスセット（ＥＳＳ）内の第１のアクセスルータ（ＡＲ）と関連付けられている第１のアクセスポイント（ＡＰ）から第２のＥＳＳ内の第２のＡＲと関連付けられている第２のＡＰへ通信をハンドオフすることの可能な、無線ネットワークで使用される無線端末において、
前記第１のＡＰとの接続の喪失に応答して、前記第１のＡＰ、前記第２のＡＰおよび前記第１のＥＳＳの識別を含む再連結メッセージを作成するデバイスと、
前記第２のＡＰへ前記再連結メッセージを送る送信機と
を具備したことを特徴とする無線端末。
【請求項１０】
さらに、前記第１のＡＰから前記第２のＡＰへ前記通信をハンドオフする手続を開始するように設定されていることを特徴とする請求項９に記載の無線端末。
【手続補正２】
【補正対象書類名】明細書
【補正対象項目名】発明の名称
【補正方法】変更
【補正の内容】
【発明の名称】無線端末をハンドオフする方法およびハンドオフ可能な無線端末
【手続補正３】
【補正対象書類名】明細書
【補正対象項目名】０００１
【補正方法】変更
【補正の内容】
【０００１】
本出願は、インター拡張サービスセット（Inter-Extended Service Set、Ｉ−ＥＳＳ）に関し、より詳細には、ＥＳＳ（拡張サービス）間でハンドオフ（ネットワークの切替）を実行する方法および無線端末に関する。
【手続補正４】
【補正対象書類名】明細書
【補正対象項目名】０００３
【補正方法】変更
【補正の内容】
【０００３】
したがって、元の接続を喪失したかどうかにかかわらず、このようなハンドオフを実行するための、簡単ではあるが、効果的な方法および無線端末を提供することが望ましい。
【手続補正５】
【補正対象書類名】明細書
【補正対象項目名】０００６
【補正方法】変更
【補正の内容】
【０００６】
図１Ａおよび図１Ｂを参照すると、Ｉ−ＥＳＳおよびそれと通信可能な無線ＳＴＡのネットワークが示されている。任意個数の拡張サービスセット（ＥＳＳ）およびそれと通信可能な無線局（ＳＴＡ）が存在し得ると理解すべきであるが、簡単のため、図１Ａおよび図１Ｂでは、２つのそのような拡張サービスセットＥＳＳ−１およびＥＳＳ−２ならびに単一の無線ＳＴＡに限定して示してある。なお、本明細書に開示される方法および無線端末は、より多数のＥＳＳおよび無線ＳＴＡを有するネットワークでも同様に有効に使用可能であることはもちろんである。